【手続補正書】
【提出日】平成18年10月10日(2006.10.10)
【手続補正１】
【補正対象書類名】特許請求の範囲
【補正対象項目名】全文
【補正方法】変更
【補正の内容】
【特許請求の範囲】
【請求項１】
記憶素子と、プリンタ各部を制御する制御部とを持つ着色剤カートリッジを装着可能なプリンタにおいて、
前記記憶素子が、
前記カートリッジの製造年月日データ、有効期間データ、開封日時データ、インク種別毎の開封後の有効期間データ、及び対応するプリンタの機種毎に決められるカートリッジの種別毎の名称データを格納すると共に、インク残量データ、及び現在時刻データを常時更新された状態で格納しており、
前記制御部が、
最初に、前記カートリッジがプリンタに装着されているか否か判定するためのエラーチェックを行い、該エラーチェックの結果、エラー無しと判定したときには、次に、前記記憶素子との間の通信が正常に行えるか否かを判定するためのエラーチェックを行い、該エラーチェックの結果、エラー無しと判定したときには、最後に前記記憶素子から読出したデータ内容が正常か否かを判定するためのエラーチェックを行うようにしたプリンタ。
【請求項２】
請求項１記載のプリンタにおいて、
前記次のエラーチェックが、前記記憶素子からデータが正しく読出せるか否かのチェックと、該チェックの後に行われる、前記記憶素子にデータが正しく書込めたか否かのチェックとを含むプリンタ。
【請求項３】
請求項１記載のプリンタにおいて、
前記最後のエラーチェックが、前記カートリッジのインク残量が僅少か否かのチェックと、前記カートリッジの製造年月日又は開封年月日の少なくとも一方に基づく前記カートリッジの有効期限が経過したか否かのチェックと、前記カートリッジの名称のチェックのうちの少なくとも１つであるプリンタ。
【請求項４】
着色剤カートリッジを装着可能なプリンタと、このプリンタに通信接続可能なホスト装置とを備えるプリンタシステムにおいて、
前記プリンタが、
記憶素子と、プリンタ各部を制御する制御部と、前記ホスト装置との間でデータの送／受信を行うデータ送／受信部と、
を有し、
前記記憶素子が、
前記カートリッジの製造年月日データ、有効期間データ、開封日時データ、インク種別毎の開封後の有効期間データ、及び対応するプリンタの機種毎に決められるカートリッジの種別毎の名称データを格納すると共に、インク残量データ、及び現在時刻データを常時更新された状態で格納しており、
前記制御部が、
最初に、前記カートリッジがプリンタに装着されているか否か判定するためのエラーチェックを行い、該エラーチェックの結果、エラー無しと判定したときには、次に、前記記憶素子との間の通信が正常に行えるか否かを判定するためのエラーチェックを行い、該エラーチェックの結果、エラー無しと判定したときには、最後に前記記憶素子から読出したデータ内容が正常か否かを判定するためのエラーチェックを行うようになっており、
前記ホスト装置が、
前記カートリッジが前記プリンタに装着されていなかったときのユーザへのエラーメッセージ、及び対処方法に係わるメッセージと、前記記憶素子と前記制御部との間の通信が正常に行えなかったときのユーザへのエラーメッセージ、及び対処方法に係わるメッセージと、前記制御部が前記記憶素子から読出したデータ内容が正常でなかったときのユーザへのエラーメッセージ、及び対処方法に係わるメッセージとを記憶する記憶部と、
前記データ送／受信部を通じて前記プリンタから前記何れかのエラーが生じた旨が通知されたときに、該通知が示すエラー種類に応じたメッセージを前記記憶部から取得してユーザに提供するメッセージ提供部と、
を有するプリンタシステム。
【手続補正２】
【補正対象書類名】明細書
【補正対象項目名】０００５
【補正方法】変更
【補正の内容】
【０００５】
本発明の第１の観点に従うプリンタは、記憶素子と、プリンタ各部を制御する制御部とを持つ着色剤カートリッジを装着可能なもので、上記記憶素子が、上記カートリッジの製造年月日データ、有効期間データ、開封日時データ、インク種別毎の開封後の有効期間データ、及び対応するプリンタの機種毎に決められるカートリッジの種別毎の名称データを格納すると共に、インク残量データ、及び現在時刻データを常時更新された状態で格納しており、上記制御部が、最初に、上記カートリッジがプリンタに装着されているか否か判定するためのエラーチェックを行い、そのエラーチェックの結果、エラー無しと判定したときには、次に、上記記憶素子との間の通信が正常に行えるか否かを判定するためのエラーチェックを行い、そのエラーチェックの結果、エラー無しと判定したときには、最後に上記記憶素子から読出したデータ内容が正常か否かを判定するためのエラーチェックを行うようにした。
【手続補正３】
【補正対象書類名】明細書
【補正対象項目名】０００６
【補正方法】変更
【補正の内容】
【０００６】
本発明の第１の観点に係る好適な実施形態では、上記次のエラーチェックが、上記記憶素子からデータが正しく読出せるか否かのチェックと、そのチェックの後に行われる、上記記憶素子にデータが正しく書込めたか否かのチェックとを含む。
【手続補正４】
【補正対象書類名】明細書
【補正対象項目名】０００７
【補正方法】変更
【補正の内容】
【０００７】
上記とは別の実施形態では、上記最後のエラーチェックが、上記カートリッジのインク残量が僅少か否かのチェックと、上記カートリッジの製造年月日又は開封年月日の少なくとも一方に基づく上記カートリッジの有効期限が経過したか否かのチェックと、上記カートリッジの名称のチェックのうちの少なくとも１つである。
【手続補正５】
【補正対象書類名】明細書
【補正対象項目名】０００８
【補正方法】変更
【補正の内容】
【０００８】
本発明の第２の観点に従うプリンタシステムは、着色剤カートリッジを装着可能なプリンタと、このプリンタに通信接続可能なホスト装置とを備えるもので、上記プリンタが、記憶素子と、プリンタ各部を制御する制御部と、上記ホスト装置との間でデータの送／受信を行うデータ送／受信部と、を有し、上記記憶素子が、上記カートリッジの製造年月日データ、有効期間データ、開封日時データ、インク種別毎の開封後の有効期間データ、及び対応するプリンタの機種毎に決められるカートリッジの種別毎の名称データを格納すると共に、インク残量データ、及び現在時刻データを常時更新された状態で格納しており、上記制御部が、最初に、上記カートリッジがプリンタに装着されているか否か判定するためのエラーチェックを行い、そのエラーチェックの結果、エラー無しと判定したときには、次に、上記記憶素子との間の通信が正常に行えるか否かを判定するためのエラーチェックを行い、そのエラーチェックの結果、エラー無しと判定したときには、最後に上記記憶素子から読出したデータ内容が正常か否かを判定するためのエラーチェックを行うようになっており、上記ホスト装置が、上記カートリッジが上記プリンタに装着されていなかったときのユーザへのエラーメッセージ、及び対処方法に係わるメッセージと、上記記憶素子と上記制御部との間の通信が正常に行えなかったときのユーザへのエラーメッセージ、及び対処方法に係わるメッセージと、上記制御部が上記記憶素子から読出したデータ内容が正常でなかったときのユーザへのエラーメッセージ、及び対処方法に係わるメッセージとを記憶する記憶部と、上記データ送／受信部を通じて上記プリンタから上記何れかのエラーが生じた旨が通知されたときに、その通知が示すエラー種類に応じたメッセージを上記記憶部から取得してユーザに提供するメッセージ提供部と、を有する。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】